(57)【要約】【課題】発表者が、複数人からなる聴衆の中にいる特定の発言者に、ジェスチャーによる画面操作の権限を簡単に与える事が出来るプレゼンテーション管理装置およびプレゼンテーション管理プログラムを提供する。【解決手段】プレゼンテーションの画像が表示された画面をプレゼンテーションの発表者と聴衆に含まれる発言者が画面操作ジェスチャーにより操作可能であり、発表者による発言者に対する操作の権限が与奪可能なプレゼンテーション管理装置であって、発表者および聴衆の映像を撮影可能な撮影部と、与奪を指示する権限与奪ジェスチャーを撮像された映像から検出可能なジェスチャー検出部と、発表者による聴衆に対する第１の権限与奪ジェスチャーがジェスチャー検出部により検出されたとき、第１の権限与奪ジェスチャーの対象者を撮像された映像から特定する特定部と、特定された対象者を発言者とする権限制御部とを備える。【選択図】図４
2015187813.tif 000002
【特許請求の範囲】
【請求項１】
プレゼンテーションの発表者および聴衆の映像を撮影可能な撮影部と、
前記プレゼンテーションの画像が表示された画面を操作する権限の与奪を指示する権限与奪ジェスチャーを撮像された映像から検出可能なジェスチャー検出部と、
前記発表者による前記聴衆に対する第１の権限与奪ジェスチャーが前記ジェスチャー検出部により検出されたとき、前記第１の権限与奪ジェスチャーの対象者を撮像された映像から特定する特定部と、
前記特定された対象者を発言者として前記画面を操作する権限を与える権限制御部と
を備えた
プレゼンテーション管理装置。
【請求項２】
請求項１に記載のプレゼンテーション管理装置であって、
前記ジェスチャー検出部は、
前記第１の権限与奪ジェスチャーとして、前記発表者による１人の前記対象者を指し示すジェスチャーを検出する
プレゼンテーション管理装置。
【請求項３】
請求項２に記載のプレゼンテーション管理装置であって、
前記特定部は、
前記発表者による１人の前記対象者を指し示すジェスチャーに基づいて前記対象者を特定する
プレゼンテーション管理装置。
【請求項４】
請求項１から３のいずれか１つに記載のプレゼンテーション管理装置であって、
前記特定部は、
前記発表者による前記聴衆の特定の範囲を指し示す第２の権限与奪ジェスチャーが前記ジェスチャー検出部により検出されたとき、前記発表者による前記聴衆の特定の範囲を指し示すジェスチャーに基づいて前記特定の範囲に含まれる１以上の対象者をそれぞれ特定し、
前記権限制御部は、
前記特定された対象者それぞれを発言者として前記画面を操作する権限を与える
プレゼンテーション管理装置。
【請求項５】
請求項１から３のいずれか１つに記載のプレゼンテーション管理装置であって、
前記権限制御部は、
前記発表者による、前記権限を与えられた発言者の１人の方向に手を伸ばしてから前記伸ばした手を引く第３の権限与奪ジェスチャーが前記ジェスチャー検出部により検出されたとき、前記手を伸ばした方向にいる発言者に与えていた前記権限を剥奪する
プレゼンテーション管理装置。
【請求項６】
請求項１から４のいずれか１つに記載のプレゼンテーション管理装置であって、
前記権限制御部は、
前記発表者による、前記ジェスチャー検出部の方向を向いて片手を挙げもう一方の手を上から下に動かす第４の権限与奪ジェスチャーが前記ジェスチャー検出部により検出されたとき、全ての前記発言者から与えていた権限を剥奪する
プレゼンテーション管理装置。
【請求項７】
撮影部により撮影された、プレゼンテーションの発表者および聴衆の映像から、前記プレゼンテーションの画像が表示された画面を操作する権限の与奪を指示する権限与奪ジェスチャーを検出可能なジェスチャー検出部、
前記発表者による前記聴衆に対する第１の権限与奪ジェスチャーが前記ジェスチャー検出部により検出されたとき、前記第１の権限与奪ジェスチャーの対象者を撮像された映像から特定する特定部、および
前記特定された対象者を発言者として前記画面を操作する権限を与える権限制御部
としてコンピューターを機能させるためのプレゼンテーション管理プログラム。
【発明の詳細な説明】
【技術分野】
【０００１】
本発明は、スクリーンや画面に映したプレゼンテーション画像をジェスチャーにより操作するプレゼンテーション管理装置およびプレゼンテーション管理プログラムに関する。
【背景技術】
【０００２】
近年、会議や講演などにおいて、プレゼンテーションの資料をスクリーンや大型ディスプレイなどに投影させ、投影した画面をユーザーのジェスチャーにより操作することが行われるようになってきている。
【０００３】
また、プレゼンテーションでは、発表が終わった後に、聴衆との質疑応答が行われることがある。その際、聴衆の中の発言者がジェスチャーにより、プレゼンテーションに使われたスライドから所望のページを出したり、出したページの内容から特定の箇所を示したり、ページの内容を改変したり出来ると、発表者と聴衆とのコミュニケーションを円滑にすることが出来る。
【０００４】
例えば、特許文献１に開示された技術では、上記の目的を達成するために、プレゼンテーションに参加した複数の参加者がプレゼンテーションの制御を共有して行うことが出来る。
【０００５】
この技術では、発表者である主ユーザーが、プレゼンテーションの終了時に、聴衆の中の発言者（副ユーザー）にプレゼンテーション画面を操作するために一時的制御を与えることが出来る。副ユーザーによる制御が完了したとき、主ユーザーは副ユーザーによる制御を取り除くか、または副ユーザーが制御を放棄することが出来る。
【０００６】
もちろん、この技術では、発表者や発言者がジェスチャーで画面の操作を出来るので、プレゼンテーションの場に画面を操作したり必要な箇所を示したりするポインティングデバイスなどを用意する必要が無い。
【０００７】
また、特許文献２に開示された技術では、プレゼンテーションを行う発表者のジェスチャーを検知する場合、プレゼンテーション開始前の発表者の動きをジェスチャーとして誤検出しないようにするために、明示的な発表の開始指示を受け付けてからジェスチャーの検知を開始する構成になっている。
【０００８】
また、特許文献３に開示された技術では、発表者のジェスチャーを推奨または非推奨の操作に分類し、非推奨操作であれば、画面の操作を無効とすることにより、プレゼンテーションの内容に沿ったジェスチャーのみを受け付ける。
【０００９】
また、特許文献４および特許文献５では、撮像された画像から人を検出する技術が開示されている。
【先行技術文献】
【特許文献】
【００１０】
【特許文献１】特表２０１３−５１４５８５号公報（段落[００６６]−［００７０］）
【特許文献２】特開２０１３−０２０４３４号公報
【特許文献３】特開２０１０−２０５２３５号公報
【特許文献４】特開２０１３−２２８９３０号公報
【特許文献５】特開２００５−１４９１４５号公報
【発明の概要】
【発明が解決しようとする課題】
【００１１】
しかし、特許文献１の技術では、発表者が、複数人からなる聴衆の中にいる特定の発言者に、ジェスチャーによる画面操作の権限を与える方法が明確ではなく、この技術を実際の発表等に適用するには問題があった。
【００１２】
以上のような事情に鑑み、本発明の目的は、発表者が、複数人からなる聴衆の中にいる特定の発言者に、ジェスチャーによる画面操作の権限を簡単に与える事が出来るプレゼンテーション管理装置およびプレゼンテーション管理プログラムを提供することにある。
【課題を解決するための手段】
【００１３】
（１）上記目的を達成するため、本発明の一形態に係るプレゼンテーション管理装置は、プレゼンテーションの発表者および聴衆の映像を撮影可能な撮影部と、前記プレゼンテーションの画像が表示された画面を操作する権限の与奪を指示する権限与奪ジェスチャーを撮像された映像から検出可能なジェスチャー検出部と、前記発表者による前記聴衆に対する第１の権限与奪ジェスチャーが前記ジェスチャー検出部により検出されたとき、前記第１の権限与奪ジェスチャーの対象者を撮像された映像から特定する特定部と、前記特定された対象者を発言者として前記画面を操作する権限を与える権限制御部とを備える。
【００１４】
（２）上記目的を達成するため、本発明の一形態に係るプレゼンテーション管理装置では、前記ジェスチャー検出部は、前記第１の権限与奪ジェスチャーとして、前記発表者による１人の前記対象者を指し示すジェスチャーを検出する構成でもよい。
【００１５】
（３）上記目的を達成するため、本発明の一形態に係るプレゼンテーション管理装置では、前記特定部は、前記発表者による１人の前記対象者を指し示すジェスチャーに基づいて前記対象者を特定する構成でもよい。
【００１６】
（４）上記目的を達成するため、本発明の一形態に係るプレゼンテーション管理装置では、前記特定部は、前記発表者による前記聴衆の特定の範囲を指し示す第２の権限与奪ジェスチャーが前記ジェスチャー検出部により検出されたとき、前記発表者による前記聴衆の特定の範囲を指し示すジェスチャーに基づいて前記特定の範囲に含まれる１以上の対象者をそれぞれ特定し、前記権限制御部は、前記特定された対象者それぞれを発言者として前記画面を操作する権限を与える構成でもよい。
【００１７】
（５）上記目的を達成するため、本発明の一形態に係るプレゼンテーション管理装置では、前記権限制御部は、前記発表者による、前記権限を与えられた発言者の１人の方向に手を伸ばしてから前記伸ばした手を引く第３の権限与奪ジェスチャーが前記ジェスチャー検出部により検出されたとき、前記手を伸ばした方向にいる発言者に与えていた前記権限を剥奪する構成でもよい。
【００１８】
（６）上記目的を達成するため、本発明の一形態に係るプレゼンテーション管理装置では、前記権限制御部は、前記発表者による、前記ジェスチャー検出部の方向を向いて片手を挙げもう一方の手を上から下に動かす第４の権限与奪ジェスチャーが前記ジェスチャー検出部により検出されたとき、全ての前記発言者から与えていた権限を剥奪する構成でもよい。
【００１９】
（７）上記目的を達成するため、本発明の一形態に係るプレゼンテーション管理プログラムは、撮影部により撮影された、プレゼンテーションの発表者および聴衆の映像から、前記プレゼンテーションの画像が表示された画面を操作する権限の与奪を指示する権限与奪ジェスチャーを検出可能なジェスチャー検出部、前記発表者による前記聴衆に対する第１の権限与奪ジェスチャーが前記ジェスチャー検出部により検出されたとき、前記第１の権限与奪ジェスチャーの対象者を撮像された映像から特定する特定部、および前記特定された対象者を発言者として前記画面を操作する権限を与える権限制御部としてコンピューターを機能させる。
【発明の効果】
【００２０】
以上のように、本発明によれば、発表者が、複数人からなる聴衆の中にいる特定の発言者に、ジェスチャーによる画面操作の権限を簡単に与える事が出来る。
【図面の簡単な説明】
【００２１】
【図１】ポインティング制御装置１の構成図である。
【図２】ポインティング制御装置１が前提とする位置関係の具体例を上から見た図である。
【図３】発表者または発言者が、表示部３１の画面上に表示された画像を操作する様子を示す図である。
【図４】発表者が片手を上げて、もう一方の手で画面操作権限を与えたい聴衆を指し示すジェスチャーにより、指し示された対象者が発言者となる様子を示す図である。
【図５】発表者が片手を上げて、もう一方の手で画面操作権限を与えている聴衆を指し示してから、手を引く（奪う）ジェスチャーにより、指し示された発言者から画面操作権限を剥奪する様子を示す図である。
【図６】発表者が片手を上げて、もう一方の手で画面操作権限を与えたい特定の範囲にいる聴衆を囲むように手を回して指し示すジェスチャーにより、指し示された範囲の複数の対象者が発言者となる様子を示す図である。
【図７】発表者がプレゼンテーション管理装置のモーションキャプチャー用センサーの方向を向き、片手を上げて、もう一方の手を上から下に動かすジェスチャーにより、発表者が発言者に与えた画面操作権限を全てリセット（全て剥奪）する様子を示す図である。
【図８】本発明の実施形態にかかるプレゼンテーション管理装置２の構成図である。
【発明を実施するための形態】
【００２２】
以下、図面を参照しながら、本発明の実施形態を説明する。
【００２３】
［前提について］
本実施形態にかかるプレゼンテーション管理装置は、特定のプレゼンテーション形態を前提としている。そのため、以下の説明では、この特定のプレゼンテーション形態に用いるポインティング制御装置について説明する。
【００２４】
［前提とするポインティング制御装置の構成について］
まず、本実施形態にかかるプレゼンテーション管理装置が前提とするポインティング制御装置の構成について説明する。図１は、ポインティング制御装置１の構成図である。
【００２５】
前提とするポインティング制御装置１は、大きく分けて、モーションキャプチャー用センサー１０と制御部２０とから構成されている。
【００２６】
モーションキャプチャー用センサー１０は、カメラ１１、ユーザー検出部１２、および動作検出部１３を有している。
【００２７】
カメラ１１は、プレゼンテーションの発表者および聴衆を含めた周辺の画像を撮影する。
【００２８】
ユーザー検出部１２は、カメラ１１により撮影された画像から、プレゼンテーションの発表者および発言者（後述）を識別する。
【００２９】
動作検出部１３は、ユーザー検出部１２により識別された発表者または発言者の特定の動きを検出（抽出）する。例えば、発表者または発言者が表示装置の画面に表示された画像を指で指し示して、指し示したまま手を動かすと、動作検出部１３はその指の動きを抽出する。
【００３０】
例えば、発表者または発言者が画面を指している手を右に動かせば、画面上のカーソルも右に移動する。このように、発表者または発言者は、何も持たず素手でカーソルの移動を指示することが出来る。動作検出部１３は、画面を指さしている発表者または発言者の手の絶対位置を認識するのではなく、手が動かされる相対位置を認識して、指の動きを抽出する。
【００３１】
制御部２０は、動作検出部１３によって抽出された指の動きに応じて、表示装置３０の表示部３１の画面上に表示されるカーソルを動かしたり、プレゼンテーションのスライドのページを送ったりする。
【００３２】
なお、発表者と発言者では、受け付けるジェスチャーを変えてもよい。例えば、発表者は複雑な画面操作を行うために数多くのジェスチャーが出来るのに対し、発言者はジェスチャーを行うことに慣れていない可能性があるので、例えば画面上の特定の箇所を指で指し示すジェスチャーやページを送るためのジェスチャーなど、簡単なジェスチャーのみを行えるようにしてもよい。
【００３３】
なお、動作検出部１３は、発表者または発言者が表示装置の画面に表示された画像を指で指し示す動作に限らず、様々な特定の動き（ジェスチャー）を認識することが出来る。
【００３４】
なお、図１に示している、表示部３１を有する表示装置３０は、ポインティング制御装置１の一部として構成されてもよいし、一般的な表示装置を別途用意して用いてもよい。
【００３５】
また、一般的な表示装置としてプロジェクターとスクリーンを用いる場合、プレゼンテーションの画像がプロジェクターにより投影されるスクリーン面が画像表示面となる。
【００３６】
なお、上記の説明では、モーションキャプチャー用センサー１０にカメラ１１等が含まれているものとしたが、この構成に限らず、カメラ１１、ユーザー検出部１２、動作検出部１３、および距離検出部１４がそれぞれ独立した構成でもよい。それぞれ独立した構成とすることにより、市販の一般的で安価なモーションキャプチャー用センサーを用いることも出来る。
【００３７】
以上、本実施形態にかかるプレゼンテーション管理装置が前提とするポインティング制御装置の構成について説明した。
【００３８】
［前提とする配置について］
次に、本実施形態にかかるプレゼンテーション管理装置と共に用いられるポインティング制御装置１が前提とする、モーションキャプチャー用センサー１０、表示装置３０、発表者、聴衆Ａ、聴衆Ｂ、および聴衆Ｃの位置関係について具体例を説明する。なお、聴衆には発言者が含まれる。図２は、ポインティング制御装置１が前提とする位置関係の具体例を示す図である。なお、図２は、位置関係を上から見た図である。
【００３９】
聴衆Ａ、聴衆Ｂ、および聴衆Ｃの前に表示装置３０である大型液晶ディスプレイが配置され、大型液晶ディスプレイの表示部３１である画面が聴衆Ａ、聴衆Ｂ、および聴衆Ｃの側に向けられている。
【００４０】
モーションキャプチャー用センサー１０は、表示装置１０の直前に設置されている。なお、この例では、モーションキャプチャー用センサー１０を表示装置１０の直前に設置しているが、設置位置はこの位置に限らない。モーションキャプチャー用センサー１０を配置する位置は、発表者および発言者のジェスチャーを適切に検出することが出来る位置であればどこであっても構わない。
【００４１】
プレゼンテーションを行い、表示部３１の画面上のカーソルを移動させるために画面を指し示すジェスチャー（画面操作ジェスチャー）などを行う発表者の位置としては、表示部３１と聴衆Ｃとの中間の位置などが考えられる。
【００４２】
ユーザー検出部１２は、カメラ１１により撮像された画像から、表示装置３０、発表者、聴衆Ａ、聴衆Ｂ、および聴衆Ｃの位置関係を認識し、発表者および聴衆（または後述する権限与奪ジェスチャーに基づく発言者）を識別する。
【００４３】
なお、ここで説明した配置は一例であり、その他の例として、表示装置３０として聴衆Ａ、聴衆Ｂ、および聴衆Ｃの前にスクリーンを設置し、聴衆Ａ、聴衆Ｂ、および聴衆Ｃの背後からプロジェクターにより画像を投影する構成でもよい。この場合、モーションキャプチャー用センサー１０はスクリーンの近傍に配置してもよいし、プロジェクターの近傍に配置してもよい。
【００４４】
以上、ポインティング制御装置１が前提とする、モーションキャプチャー用センサー１０、表示装置３０、発表者、聴衆Ａ、聴衆Ｂ、および聴衆Ｃの位置関係について具体例を説明した。
【００４５】
［画面操作の前提とするジェスチャーについて］
次に、発表者または発言者が、表示部３１の画面上に表示された画像を操作する様子について説明する。図３は、発表者または発言者が、表示部３１の画面上に表示された画像を操作する様子を示す図である。
【００４６】
発表者または発言者が、表示部３１の画面を指で指し示すジェスチャー（画面操作ジェスチャー）を行うと、ポインティング制御装置１により、そのジェスチャーが検出され、ポインティング制御装置１が画面上のカーソルを移動させたりプレゼンテーションスライドのページを送ったりする。
【００４７】
詳細には、ユーザー検出部１２は、カメラ１１によって撮像された画像から、発表者を識別し、動作検出部１３は、ユーザー検出部１２によって識別された発表者の画面操作ジェスチャーを検出する。制御部２０は、動作検出部１３によって検出された画面操作ジェスチャーに応じて、表示部３１の画面を操作する。
【００４８】
なお、発表者と発言者が同時に画面操作ジェスチャーによる指示を行った場合は、発表者の指示が優先される。
【００４９】
以上、発表者または発言者が、表示部３１の画面上に表示された画像を操作する様子について説明した。
【００５０】
［本実施形態の概要について］
次に、本実施形態にかかるプレゼンテーション管理装置の概要について説明する。
【００５１】
本実施形態にかかるプレゼンテーション管理装置は、ジェスチャー（画面操作ジェスチャー）により画面操作を行うための権限を、簡単なジェスチャー（権限与奪ジェスチャー）により発表者が聴衆の中の質問者や発言者に適宜与えたり剥奪したりして、プレゼンテーションにおけるコミュニケーションを円滑に行うことを支援するものである。
【００５２】
そのため、本実施形態にかかるプレゼンテーション管理装置を使う発表者は、画面操作を行う権限に加えて聴衆の中の発言者に画面操作を行う権限を与えたり奪ったりする独占的な与奪権限を有する。
【００５３】
聴衆は、発表者の権限与奪ジェスチャーによって画面を操作する権限を与えられると、発言者として画面操作ジェスチャーにより画面を操作することが出来る。また、発表者の権限与奪ジェスチャーによって与えられた画面を操作する権限を奪われると、画面操作ジェスチャーにより画面を操作することは出来なくなる。
【００５４】
聴衆は、発表者から画面操作の権限を与えられない限り、画面操作ジェスチャーにより画面を操作することは出来ない。
【００５５】
発表者は、複数の発言者に個別に画面操作権限を与えたり奪ったりすることが出来る。複数の発言者に画面操作権限が与えられると、これら複数の発言者が共同して画面操作を行うことが出来る。
【００５６】
また、発表者は、複数いる聴衆の一部に対して権限与奪ジェスチャーを行うことにより、それら一部の人を発言者として画面操作権限を与えたり奪ったりすることも出来る。
【００５７】
例えば、プレゼンテーションの会場にいる聴衆のうち、会場の右側に座っている聴衆を含む広い範囲を指し示すジェスチャーにより、右側に座っている聴衆を発言者として画面操作権限を与えることが出来る。この場合、会場の左側に座っている聴衆は画面を操作する権限を持つことは出来ない。画面操作権限を与えられた複数の聴衆は、共同して画面操作することが出来る。
【００５８】
以上、本実施形態にかかるプレゼンテーション管理装置の概要について説明した。
【００５９】
［権限与奪ジェスチャーの具体例について］
次に、本実施形態にかかるプレゼンテーション管理装置を用いる場合に、発表者が発言者に画面を操作する権限を与えたり奪ったりする際に用いる権限与奪ジェスチャーの具体例を説明する。
【００６０】
（特定の１人に画面操作権限を与える）
図４は、発表者が片手を上げて、もう一方の手で画面操作権限を与えたい聴衆を指し示すジェスチャー（第１のジェスチャー）により、指し示された対象者（聴衆B）が発言者となる様子を示す図である。
【００６１】
（画面操作権限を与えた発言者から画面操作権限を奪う）
図５は、発表者が片手を上げて、もう一方の手で画面操作権限を与えている聴衆を指し示してから、手を引く（奪う）ジェスチャー（第３のジェスチャー）により、指し示された発言者から画面操作権限を剥奪する様子を示す図である。
【００６２】
（特定の範囲の人々に画面操作権限を与える）
図６は、発表者が片手を上げて、もう一方の手で画面操作権限を与えたい特定の範囲にいる聴衆を囲むように手を回して指し示すジェスチャー（第２のジェスチャー）により、指し示された範囲の複数の対象者（聴衆Ａおよび聴衆B）が発言者となる様子を示す図である。
【００６３】
（与えた画面操作権限を全てリセットする）
図７は、発表者がプレゼンテーション管理装置のモーションキャプチャー用センサー（後述）の方向を向き、片手を上げて、もう一方の手を上から下に動かすジェスチャー（第４のジェスチャー）により、発表者が発言者に与えた画面操作権限を全てリセット（全て剥奪）する様子を示す図である。
【００６４】
以上、本実施形態にかかるプレゼンテーション管理装置を用いる場合に、発表者が発言者に画面を操作する権限を与えたり奪ったりする際に用いる権限与奪ジェスチャーの具体例を説明した。
【００６５】
［プレゼンテーション管理装置の構成について］
次に、本実施形態にかかるプレゼンテーション管理装置の構成について説明する。なお、上記の説明のとおり、本実施形態にかかるプレゼンテーション管理装置は、上述したポインティング制御装置１を前提にしている。そのため、プレゼンテーション管理装置の構成は、ポインティング制御装置１の構成を基に、新たな機能を付加したものとなる。図８は、本実施形態にかかるプレゼンテーション管理装置２の構成図である。
【００６６】
なお、以下では、ポインティング制御装置１をプレゼンテーション管理装置２とするために新たに加わった機能についてのみ説明する。
【００６７】
モーションキャプチャー用センサー１０には、距離検出部１４が加わる。距離検出部１４は、表示装置３０から発表者または発言者までの距離を検出する。
【００６８】
動作検出部１３（ジェスチャー検出部）は、発表者および発言者の画面操作ジェスチャーに加え、発表者の権限与奪ジェスチャーも検出する。
【００６９】
また、ユーザー検出部１２（特定部）は、カメラ１１（撮影部）により撮影された映像および距離検出部１４により検出された距離に基づいて、発表者および発言者の位置を識別する。
【００７０】
制御部２０には、演算・条件判定部２１（権限制御部）および記憶部２２が加わる。演算・条件判定部２１は、発表者の権限与奪ジェスチャーに基づき、聴衆の中にいるジェスチャーの対象となった対象者に画面操作ジェスチャーによる画面操作権限を与えて発言者としたり、画面操作ジェスチャーによる画面操作権限が与えられている発言者から画面操作権限を奪ったりする。
【００７１】
記憶部２２は、発表者および発言者の位置を位置情報として記憶する。なお、記憶部２２は、位置情報以外の発表者や発言者に関する情報も記憶する構成でもよい。
【００７２】
以上、本実施形態にかかるプレゼンテーション管理装置２の構成について説明した。
【００７３】
［処理の流れについて］
次に、プレゼンテーション管理装置２において行われる各処理の流れについて説明する。
【００７４】
（１）発表者の認識
まず、プレゼンテーション管理装置２は、プレゼンテーションの発表者を識別する。これは、発表者のみが権限与奪ジェスチャーにより発言者に対して画面操作権限の与奪を行うことが出来る優先的な立場となるからである。
【００７５】
ユーザー検出部１２が、距離検出部１４により検出された人物の位置に基づいて、表示装置３０に最も近い人物を発表者とする。
【００７６】
誤動作防止の観点から、特定の距離以上離れた位置にいる人物を検出した場合は、その人物が表示装置３０に最も近い人物であっても発表者として認識しない構成としてもよい。
【００７７】
なお、この構成に限らず、プレゼンテーション管理装置２の管理者が、カメラ１１に撮影された複数の人物の中から、明示的に発表者を指定する構成でもよい。
【００７８】
（２）画面操作権限の付与
発表者が片手を挙げた時点で、カメラ１１がそのジェスチャーを撮影し、撮影された映像に基づいて動作検出部１３が挙げられた腕の特徴点を抽出する。演算・条件判定部２１は、抽出された腕の特徴点に基づいて画面操作権限を付与する準備をする。
【００７９】
次に、発表者がもう一方の手で聴衆の中の１人または聴衆の特定の範囲を指し示した時点で、カメラ１１がそのジェスチャーを撮影し、撮影された映像に基づいて動作検出部１３が指し示された人物を発言者として特定し、ユーザー検出部１２が特定された発言者の位置を検出する。検出された発言者の位置情報は、記憶部２２に記憶される。
【００８０】
最後に、演算・条件判定部２１が、特定された発言者に、画面操作権限を付与する。
【００８１】
（３）画面操作時
画面操作権限を与えられた発言者による画面操作ジェスチャーは、動作検出部１３により継続的に検出される。ある画面操作ジェスチャーが検出されると、演算・条件判定部２１が、検出された位置座標と記憶部２２に記憶している発言者の位置座標とを照合して、画面操作権限を有する発言者の画面操作ジェスチャーであるか否かを判定する。発言者の画面操作ジェスチャーである場合、そのジェスチャーは受け付けられ、画面操作が行われる。
【００８２】
（４）画面操作権限の剥奪
発表者が片手を挙げた時点で、カメラ１１がそのジェスチャーを撮影し、撮影された映像に基づいて動作検出部１３が挙げられた腕の特徴点を抽出する。演算・条件判定部２１は、抽出された腕の特徴点に基づいて画面操作権限を剥奪する準備をする。
【００８３】
次に、発表者がもう一方の手で聴衆の中の１人または聴衆の特定の範囲を指し示し、手を引くジェスチャーを行った時点で、カメラ１１がそのジェスチャーを撮影し、撮影された映像に基づいて動作検出部１３が指し示された発言者を特定し、ユーザー検出部１２が特定された発言者の位置を検出する。検出された発言者の位置情報は、記憶部２２にから削除される。
【００８４】
最後に、演算・条件判定部２１が、特定された発言者から、画面操作権限を剥奪する。
【００８５】
（５）画面操作権限のリセット
発表者がプレゼンテーション管理装置２のモーションキャプチャー用センサー１０の方向を向き、片手を上げて、もう一方の手を上から下に動かすジェスチャーを行った時点で、カメラ１１がそのジェスチャーを撮影し、演算・条件判定部２１が、発言者に与えられている画面操作権限を全てリセット（全て剥奪）する。記憶部２２に記憶されている発言者の位置情報も全て削除される。
【００８６】
以上、プレゼンテーション管理装置２において行われる各処理の流れについて説明した。
【００８７】
［補足事項］
その他、本技術は、上述の実施形態にのみ限定されるものではなく、本技術の要旨を逸脱しない範囲内において種々変更を加え得ることは勿論である。
【符号の説明】
【００８８】
１  …  ポインティング制御装置
２  …  プレゼンテーション管理装置
１０  …  モーションキャプチャー用センサー
１１  …  カメラ
１２  …  ユーザー検出部
１３  …  動作検出部
１４  …  距離検出部
２０  …  制御部
２１  …  演算・条件判定部
２２  …  記憶部
３０  …  表示装置
３１  …  表示部
【図１】
2015187813.tif 000003
【図２】
2015187813.tif 000004
【図３】
2015187813.tif 000005
【図４】
2015187813.tif 000006
【図５】
2015187813.tif 000007
【図６】
2015187813.tif 000008
【図７】
2015187813.tif 000009
【図８】
2015187813.tif 000010